(57)【要約】  本発明は、リソースとメタデータとを有し、さらにリソース、メタデータ及びそれらの相互関係を表す記述ファイルを有する携帯型記憶媒体１に関する。本発明はさらに、少なくとも１つの携帯型記憶媒体１と共働動作するよう構成されたホスト装置２であって、携帯型記憶媒体１は、リソースとメタデータとを有し、さらにリソース、メタデータ及びそれらの相互関係を表す記述ファイルを有し、当該記憶されたリソースのコンテンツディレクトリサービスを提供するために記述ファイルを評価するよう構成された評価手段を有するホスト装置２に関する。
2008542901.tif 000002
【特許請求の範囲】
【請求項１】
リソースとメタデータとを有し、さらに前記リソース、前記メタデータ及びそれらの相互関係を表す記述ファイルを有する携帯型記憶媒体。
【請求項２】
少なくとも１つの携帯型記憶媒体と共働動作するよう構成されたホスト装置であって、前記携帯型記憶媒体は、リソースとメタデータとを有し、さらに前記リソース、前記メタデータ及びそれらの相互関係を表す記述ファイルを有し、当該記憶されたリソースのコンテンツディレクトリサービスを提供するために前記記述ファイルを評価するよう構成された評価手段を有するホスト装置。
【請求項３】
請求項２に記載のホスト装置であって、
当該ホスト装置は、ＵＰｎＰ（ユニバーサルプラグアンドプレイ）ネットワークに接続されるよう構成され、
前記評価手段はさらに、当該ホスト装置と協働動作し評価可能な記述ファイルを有する携帯型記憶媒体毎にメディアサーバを起動するよう構成され、
各メディアサーバは、前記評価可能な記述ファイルに基づいて、前記ＵＰｎＰネットワークを介して少なくとも１つのＵＰｎＰメディアレンダラによりアクセス可能なＵＰｎＰコンテンツディレクトリサービスを提供するよう構成されている、
装置。
【請求項４】
請求項２又は３に記載のホスト装置により請求項１に記載の携帯型記憶媒体のコンテンツにアクセスする方法であって、
少なくとも１つの携帯型記憶媒体を前記ホスト装置に接続するステップと、
前記少なくとも１つの携帯型記憶媒体の検出により、前記少なくとも１つの携帯型記憶媒体の記述ファイルを評価し、当該評価される記述ファイルに基づいてコンテンツディレクトリサービスを始動させるステップと、
前記少なくとも１つの携帯型記憶媒体の当該コンテンツディレクトリサービスへのアクセスを行うステップと、
を有する方法。
【請求項５】
請求項３に記載のホスト装置により請求項１に記載の携帯型記憶媒体のコンテンツにアクセスする方法であって、
少なくとも１つの携帯型記憶媒体を前記ホスト装置に接続するステップと、
前記少なくとも１つの携帯型記憶媒体の検出により、前記少なくとも１つの携帯型記憶媒体の記述ファイルを評価し、
当該評価される記述ファイルに基づいて、評価される携帯型記憶媒体毎にＵＰｎＰコンテンツディレクトリサービスを提供するためにメディアサーバを始動させるステップと、
前記少なくとも１つの携帯型記憶媒体の当該コンテンツディレクトリサービスへのアクセスを行うステップと、
を有する方法。
【発明の詳細な説明】
【技術分野】
【０００１】
本発明は、記述ファイル（representation file）を有する携帯型記憶媒体に関する。
【０００２】
本発明はまた、第１の段落による携帯型記憶媒体と共働動作するよう構成されたホスト装置に関する。
【０００３】
本発明はさらに、第２の段落によるホスト装置により第１の段落による携帯型記憶媒体のコンテンツにアクセスする方法に関する。
【背景技術】
【０００４】
住居環境は、オーディオ、ビデオ（ＡＶ）、ＰＣ機器及び（ディジタル）コンテンツ処理に対して大幅な変更に向かっている。ＰＣの世界及び民生電子機器の世界（ＣＥワールド）は、統合が進み、いわゆる接続された家を形作る益々大規模なホームネットワークを形成する。こうしたネットワークを介して、ＰＣ、ディジタルスチルカメラ、カムコーダ、インターネット及びテレビ放送チャネルからのコンテンツは、全てリビングルームで利用されるようになっている。
【０００５】
したがって、この展開は、様々なメタデータ規格を介して提供される何らかの形態のコンテンツ管理を依然として増加させ必要とする膨大なデータ量をもたらしている。そうしたメタデータ規格の一例は、ＭＰＥＧ２１，ＵＰｎＰ、ＭＰＶ、ＨｉｇｈＭＡＴなどである。これら規格から、現在の市場の動向及び標準化活動を考えると、ホームネットワークは、将来ＵＰｎＰ規格に基づくものになると推測することができる。ＵＳＢスティック、ＣＤ−ＲＯＭ、ＤＶＤなどの携帯型記憶媒体のコンテンツを表示するため、そうした携帯型記憶媒体が取り外し可能（着脱可能）に接続されるＣＥ−ＰＣシステムは、個々のファイルのメタデータを収集するために媒体全体を読み取る必要がある。異なるコンテンツタイプのために、異なるメタデータ規格が用いられる。ＭＰＶ及びＨｉｇｈＭＡＴは、取り外し可能な記憶媒体に対するメタデータ検索のこの問題を解消するようにした、ＣＤ−ＲＯＭ又はＤＶＤのような光ディスクにどちらもかなり的を絞った２つのメタデータ規格である。しかしながら、ＭＰＶ及びＨｉｇｈＭＡＴは、接続されたホームネットワークにおいてメタデータを他の装置に呈示するためのメカニズムを持っていない。
【０００６】
ＵＰｎＰネットワークにおいて、ＵＰｎＰコンテンツディレクトリサービス（ＵＰｎＰ ＣＤＳ；UPnP Content Directory Service）は、音楽、写真及びビデオデータファイルのためのメタデータを規格化する。ＵＰｎＰ ＣＤＳにより、コンテンツは、当該ネットワークの残りの部分に対して利用可能となる。しかしながら、ＵＰｎＰ規格においても、携帯型記憶媒体をサポートするために何ら特別の（独立した）メカニズムを規定するものではない。これは、新しい携帯型記憶媒体が検出された場合、ＵＰｎＰ媒体サーバ実現形態の多くが、記憶コンテンツのメタデータを得るように携帯型記憶媒体ファイルシステム全体を読み取らなければならないことになることを意味している。この読取処理は、携帯型記憶媒体が当該システムに接続される度に繰り返されることになる。
【０００７】
したがって、現在の全てのメタデータ規格においては、コンテンツをホームネットワーク内で利用可能にするためにネットワーク装置に取り外し可能に接続される携帯型記憶媒体のための高速メタデータ検索の必要性がある。
【発明の開示】
【発明が解決しようとする課題】
【０００８】
したがって、本発明の目的は、第１の段落に規定されるような携帯型記憶媒体、第２の段落に規定されるようなホスト装置、さらには第３の段落に規定されるようなアクセス方法であって、上述した不利な点を回避するものを提供することである。
【課題を解決するための手段】
【０００９】
本発明による携帯型記憶媒体により上記目的を達成するため、本発明によるシステムが以下に規定されて特徴づけられるように特徴事項が設けられる。
【００１０】
すなわち、リソース及びメタデータを有し、さらに当該リソース、当該メタデータ及びそれらの相互関係を表す記述ファイルを有する携帯型記憶媒体である。
【００１１】
本発明によるホスト装置により上記目的を達成するため、本発明によるホスト装置を以下に規定されるようにして特徴づけることができるように特徴事項が設けられる。
【００１２】
すなわち、少なくとも１つの携帯型記憶媒体と共働動作するように構成されたホスト装置であって、その携帯型記憶媒体は、リソース及びメタデータを有し、さらに、当該リソース、当該メタデータ及びそれらの相互関係を表す記述ファイルを有し、当該ホスト装置は、記憶されたリソースのコンテンツディレクトリサービス（Content Directory Service）を提供するように当該記述ファイルを評価するように構成される評価手段を有するようにしたホスト装置である。
【００１３】
本発明によるホスト装置により携帯型記憶媒体のコンテンツにアクセスする方法により上記目的を達成するため、本発明によるアクセス方法を以下に規定されるようにして特徴づけることができるように特徴事項が設けられる。
【００１４】
すなわち、請求項２又は３に記載のホスト装置による請求項１に記載の携帯型記憶媒体のコンテンツにアクセスする方法は、次のステップを有する。
【００１５】
すなわち、少なくとも１つの携帯型記憶媒体を当該ホスト装置に接続するステップと、当該少なくとも１つの携帯型記憶媒体の検出により、当該少なくとも１つの携帯型記憶媒体の記述ファイルを評価しその評価した記述ファイルに基づいてコンテンツディレクトリサービスを始動させるステップと、当該少なくとも１つの携帯型記憶媒体の当該コンテンツディレクトリサービスへのアクセスをなすステップと、を有する。
【００１６】
本発明による特徴事項は、携帯型記憶媒体、ホスト装置及び当該ホスト装置により当該携帯型記憶媒体のコンテンツにアクセスする方法は、ＰＣワールド及びＣＥワールドのホームネットワークにおいて統合されるそれらの能力を向上させる高速メタデータ検索が可能である、という利点を奏する。
【００１７】
請求項３及び５に記載の方策は、携帯型記憶媒体は、ローカルのそのメタデータをホスト装置に又はホームネットワークにおける他のＵＰｎＰ装置に呈示することができるＵＰｎＰメディアサーバを存在させるよう中間の変換を伴うことなくＵＰｎＰの可能なホスト装置とともに使用可能である、という利点を奏する。
【００１８】
本発明の上述した態様及び他の態様は、以下に説明する具体的実施例から明らかであり、当該具体的実施例を参照して説明される。以下においては、本発明を、本発明を限定するものではない具体的実施例に関して詳しく説明する。
【発明を実施するための最良の形態】
【００１９】
ホスト装置に取り外し可能に接続された携帯型記憶媒体の高速メタデータ検索の上記問題を解消するため、携帯型記憶媒体はさらに、携帯型記憶媒体の全てのコンテンツアイテムを記述した記述ファイルを有する。携帯型記憶媒体は、ビデオ、オーディオトラック、画像などのリソースや、記述子、識別子などのメタデータを有する。さらに、携帯型記憶媒体は、１つの単一ファイル内において携帯型記憶媒体に関する全てコンテンツアイテムを表す記述ファイルを有し、この記述ファイルは、ＵＰｎＰ ＣＤＳに準拠したメタデータを記憶する。携帯型記憶媒体は、例えば、記憶されたメタデータを検索するためにホスト装置に取り外し可能に接続することのできる光ディスク又はＵＳＢメモリスティックである。記述ファイルは、コンテンツを記述する階層構造のメタデータ要素を提供し、携帯型記憶媒体のコンテンツの実際の位置に対する参照を提供する。ホームネットワークにおいて、携帯型記憶媒体におけるコンテンツ位置は、ホスト装置のＩＰアドレスへマッピングさせられる。１つの特定の実施例において、当該記述ファイルは、メタデータがＤＩＤＬ−ｌｉｔｅフォーマットにより記述されるＸＭＬドキュメントである。そしてＤＩＤＬ−ｌｉｔｅフォーマットは、ＵＰｎＰ ＣＤＳ規格の中で規定される。このＸＭＬドキュメントが記述ファイルとして用いられる場合、ＣＤＳコンパチブル（階層的）オブジェクトツリーは、規定され、携帯型記憶媒体のコンテンツを表示するために評価されることができる。
【００２０】
図１は、動作可能とされたＵＰｎＰ（ネットワーク）ではない簡単なホスト装置のための本発明の基本概念を示している。ＵＳＢメモリスティック又はＣＤ／ＤＶＤのような携帯型記憶媒体１がホスト装置２に接続されると、ホスト装置２のドライバは、ＤＩＤＬ−ｌｉｔｅＸＭＬドキュメントをそのメタデータを得るために用いる。携帯型記憶媒体１に記憶される全ての媒体ファイルを読み取るのではなく、このドライバは、携帯型記憶媒体１の全てのコンテンツアイテムの全てのメタデータを検索するために１つのＸＭＬドキュメントをパーズすることしか必要ない。携帯型記憶媒体１のファイルシステムを読み取ることと比べると、これにより、携帯型記憶媒体１のコンテンツをホームネットワークへ提供するためにメタデータの検索処理が相当に高速化する。コンテンツディレクトリサービスは、ノートブックのＬＣＤモニタなどの表示装置３又はホスト装置２に接続されるＴＶに表示可能である。ホスト装置２に接続される携帯型記憶媒体１のメタデータを得るために、ホスト装置２は、ＤＩＤＬ−ｌｉｔｅＸＭＬドキュメントのためのパーズ器（parser）を含む。
【００２１】
図２は、動作可能とされたＵＰｎＰ（ネットワーク）である先進型ホスト装置を有する本発明のもう１つの実施例を示している。この特定のケースにおいて、ＵＰｎＰ／ＡＶスタックに対して規定されるようなＵＰｎＰメディアサーバソフトウェアは、ＰＣ又はＤＶＤプレーヤのようなホスト装置２において実行させられる取り外し可能な記憶媒体１のドライバに組み込まれる。
【００２２】
この実施例において、ドライバは、ホスト装置２に取り外し可能に接続されホスト装置２により検出されている全ての携帯可能型記憶媒体１のための個別のＵＰｎＰメディアサーバ処理を開始する。各ＵＰｎＰメディアサーバ処理は、ＵＰｎＰ装置の制御ポイントによりアクセス可能であり、ネットワークに接続されるＵＰｎＰメディアレンダラ（UPnP Media Renderer）へのデータ転送を始動し制御することができる。ＵＰｎＰネットワークのデータ転送のためのプロトコルは、ＵＰｎＰネットワークが例えばオフィス（Ｏｆｆｉｃｅ）（Ｒ）におけるノートブックのような遠隔のＵＰｎＰメディアレンダラへのインターネットリンクを含むこともできるようにＴＣＰ／ＩＰとされる。
【００２３】
携帯型記憶媒体のコンテンツにアクセスする方法は、少なくとも１つの携帯型記憶媒体１をホスト装置２に接続することで開始する。この少なくとも１つの携帯型記憶媒体１の検出により、ドライバは、本例の場合ＤＩＤＬ−ｌｉｔｅＸＭＬドキュメントである記述ファイルを通過させることによって当該少なくとも１つの携帯型記憶媒体１の記述ファイルの評価を開始する。評価により、ドライバは、携帯型記憶媒体１に記憶される階層構造のメタデータを表す評価後の記述ファイルに基づいてコンテンツディレクトリサービスを開始する。最後に、当該少なくとも１つの携帯型記憶媒体１のコンテンツディレクトリサービスへのアクセスは、例えば、このコンテンツディレクトリサービスをＬＣＤディスプレイ又はＴＶモニタのような表示装置３に転送することによって規定される。
【００２４】
図２の実施例では、ホスト装置２が、動作可能とされたＵＰｎＰネットワークとなっており、当該評価された記述ファイルに基づいた評価後の携帯型記憶媒体１毎にＵＰｎＰコンテンツディレクトリサービスを提供するためのメディアサーバが始動させられる。始動の際、ＵＰｎＰメディアサーバには、ＤＩＤＬ−ｌｉｔｅＸＭＬドキュメントにおいて記述されるメタデータオブジェクトが投入される。これにより、ホームネットワークにおけるホスト装置及び他のＵＰｎＰ装置は、ホスト装置２に取り外し可能に接続された携帯型記憶媒体に記憶される全てのコンテンツアイテムの全てのメタデータを迅速に取得することができる。さらに、この追加の方法ステップの利点は、メディアサーバがローカルのそのメタデータをホスト装置２又はホームネットワークにおける他のＵＰｎＰ装置４に呈示することができる点である。
【００２５】
但し、図１に関して説明したような本発明の実施例によれば、簡単なホスト装置２も、高速メタデータ検索を確実にする携帯型記憶媒体における全てのコンテンツアイテムの全てのメタデータを記述する１つの単一記述ファイルを設けたことによって有利である。
【００２６】
なお、この記述は、必ずしもＤＩＤＬ−ＬｉｔｅＸＭＬフォーマットによるものにする必要はなく、ともかくも階層構造のリソースを反映させるために携帯型記憶媒体のリソースとメタデータとの間の相互関係を含まなければならないものである。好ましくは、記述ファイルは、ブラウザなどのパーズ手段（parser）によって処理されるように構成されるのが良い。
【００２７】
また、請求項にある参照符号は、例証を目的とするものに過ぎず、保護が後に追求されるところの本発明の範囲を限定するものと解釈してはならないことを理解されたい。
【図面の簡単な説明】
【００２８】
【図１】本発明の基本概念を示す概略図。
【図２】本発明の特定の実施例による本発明の基本概念を示す概略図。
【図１】
2008542901.tif 000003
【図２】
2008542901.tif 000004
【国際調査報告】
2008542901.tif 000005
2008542901.tif 000006
2008542901.tif 000007